(57)【特許請求の範囲】
【請求項１】
壁が主に壁パネルから構成される建築物を設計するためのものであり、かつ、入力されたデータに基づき、基準単位長さ毎に縦横に引かれたグリッド線に沿って配置された壁領域に壁パネルを割り付ける設計支援装置であって、
上記壁領域の形状及び配置と、上記壁領域内の窓、出入口等の開口部が配置される開口領域の形状及び配置とを記憶した設計データ記憶手段と、
上記設計データ記憶手段に記憶された開口領域の上に、該開口領域上を覆うように壁領域内に小壁領域を設定する小壁領域生成手段と、
上記小壁領域生成手段に設定された小壁領域の左右の側縁が、上記壁領域に直交する上記グリッド線上に配置されていない場合に、上記小壁領域の水平方向に沿った幅を延長して、上記小壁領域の上記側縁を上記壁領域に直交する上記グリッド線上に配置する領域調整手段と、
上記領域調整手段により延長された小壁領域の幅に対応して、開口領域の左右かつ小壁領域の下に開口調整領域を設定する調整領域生成手段とを具備してなり、
上記開口領域上の小壁領域に所定の強度を有する一体の小壁部材を配置し、上記開口調整領域に上記小壁部材の端部を支持する支持部材を配置することを特徴とする設計支援装置。
【請求項２】
上記設計データ記憶手段に記憶された壁領域の配置のデータに基づいて壁パネルを割り付けるべき壁領域が、内壁か外壁かを判定する内外判定手段を有し、
上記内外判定手段により壁領域が内壁と判定された場合には、上記小壁領域生成手段が、上記設計データ記憶手段に記憶された開口領域の上に、該開口領域を覆うように壁領域内に小壁領域を設定し、上記領域調整手段が、小壁領域生成手段に設定された小壁領域の左右の側縁が上記壁領域に直交する上記グリッド線上に配置されていない場合に、上記小壁領域の水平方向に沿った幅を延長して、上記開口領域の上記側縁を上記壁領域に直交する上記グリッド線上に配置し、上記調整領域生成手段が、上記領域調整手段により延長された小壁領域の幅に対応して、開口領域の左右かつ小壁領域の下に開口調整領域を設定し、
上記内外判定手段により壁領域が外壁と判定された場合には、上記調整領域生成手段が、上記設計データ記憶手段に記憶された上記開口領域の左右の壁領域内に所定幅の開口調整領域を設定し、上記領域調整手段が、上記調整領域生成手段に設定された開口調整領域の上記開口領域の反対側の側縁が上記壁領域に直交する上記グリッド線上に配置されていない場合に、上記開口調整領域の水平方向に沿った幅を延長して、上記開口調整領域の上記側縁を上記壁領域に直交する上記グリッド線上に配置し、上記小壁領域生成手段が、上記開口領域及び開口調整領域の上に、これら開口領域及び開口調整領域上を一体に覆うように壁領域内に小壁領域を設定することを特徴とする請求項１記載の設計支援装置。
【発明の詳細な説明】
【０００１】
【産業上の利用分野】
本発明は、壁が壁パネルから構成される住宅を設計するための設計支援装置に関する。
【０００２】
【従来の技術】
近年、住宅の設計においても設計支援装置としてのＣＡＤ（ｃｏｍｐｕｔｅｒ  ａｉｄｅｄ  ｄｅｓｉｇｎ）  システムが用いられるようになった。
従来の住宅設計用のＣＡＤ  システムにおいては、オペレータの指示のもとに、住宅の設計をアシストすることができ、住宅の設計の省力化を図ることができた。特に、設計された住宅を様々な図面として出力することができ、図面の製作等において、大きく省力化を図ることができた。
【０００３】
また、住宅の設計においては、予め、慣習や人間の身長等に基づいた基本単位長さを設定するとともに、該基本単位長さの整数分の一毎に縦横に引かれたグリッド線に沿って壁の配置等を決めることが一般に行われている。
上記グリッド線に沿った設計を行うことにより、ＣＡＤ  システムにおける設計を省力化することができる。
【０００４】
また、住宅には、例えば、床、壁、屋根等が床パネルや壁パネルや屋根パネル等のパネルから構成されるパネル工法によって構築されるものがある。
上記パネル工法においては、柱や梁があまり用いられずに、主に上記各パネルにより住宅の強度を保つようになっている。
従って、上記パネル工法からなる住宅を設計する際には、住宅の強度を保つように壁等の配置を決める必要があるとともに、配置された壁に壁パネルを割り付けていく必要がある。
【０００５】
そして、上記グリッド線に沿った設計と、上記基本単位長さの整数分の１の長さに基づいた形状のパネルを用いることとによりＣＡＤ  システムにおけるパネルの割り付けを省力化することができる。
【０００６】
【発明が解決しようとする課題】
ところで、住宅の設計においては、住宅の強度を保つために柱や梁や耐力壁等の躯体の強度を設計時に確保する必要があり、これら躯体の強度や配置を設定する必要がある。
【０００７】
上記パネル工法においては、上述のように主に上記各パネルにより住宅の強度を保つようになっている。
従って、上記パネル工法からなる住宅を設計する際には、住宅の強度を保つように壁等の配置を決める必要があるとともに、配置された壁に壁パネルを割り付けていく必要がある。
【０００８】
しかし、従来の住宅用のＣＡＤ  システムにおいては、必ずしもパネル工法に対応したものではなく、ＣＡＤ  システム上におけるパネルの割り付けを可能としても、単に、設計された壁に所定の形状の壁パネルを割り付けただけでは、所定の強度を有する壁パネルの組み合わせから得られる最も高い強度を得られるとは限らなかった。
【０００９】
また、単に、壁に所定の形状の壁パネルを割り付けただけでは、施工性の面で問題がでる可能性があり、最悪の場合には、建築現場で壁パネルの割り付けを変更しなければ、実際に施工できない可能性もある。
また、上述のようにパネル工法においては、基本的に壁が上部構造物の荷重を受けることになるが、壁には、窓、出入口等の荷重を受けることができない開口部が設けられることになる。
【００１０】
しかし、開口部上においても上部構造物が存在するので、開口部の左右両側の壁パネルを支柱として、開口部上に梁として作用する壁パネル（以下、小壁パネルと称する）もしくは梁状の部材（以下、マグサと称する）を配置する必要があり、開口部のスパンや、開口部の設けられた壁の必要強度等に基づいて、上記小壁パネルや、マグサを配置する必要があり、上述のように単に、設計された壁に所定の形状の壁パネルを割り付けただけでは、開口部分での強度を確保することができない。
【００１１】
本発明は、上記事情に鑑みてなされたものであり、パネル工法により構築される住宅を設計するに際し、開口部の配置を考慮して、壁パネルを割り付けるべき壁の分割領域を設定することができる設計支援装置を提供することを目的とするものである。
【００１２】
【課題を解決するための手段】
本発明の請求項１記載の設計支援装置は、図１に示すように、壁が主に壁パネルから構成される建築物を設計するためのものであり、かつ、入力されたデータに基づき、基準単位長さ毎に縦横に引かれたグリッド線に沿って配置された壁領域に壁パネルを割り付ける設計支援装置であって、上記壁領域の形状及び配置と、上記壁領域内の窓、出入口等の開口部が配置される開口領域の形状及び配置とを記憶した設計データ記憶手段ａと、上記設計データ記憶手段ａに記憶された開口領域の上に、該開口領域上を覆うように壁領域内に小壁領域を設定する小壁領域生成手段ｂと、上記小壁領域生成手段ｂに設定された小壁領域の左右の側縁が、上記壁領域に直交する上記グリッド線上に配置されていない場合に、上記小壁領域の水平方向に沿った幅を延長して、上記小壁領域の上記側縁を上記壁領域に直交する上記グリッド線上に配置する領域調整手段ｃと上記領域調整手段ｃにより延長された小壁領域の幅に対応して、開口領域の左右かつ小壁領域の下に開口調整領域を設定する調整領域生成手段ｄとを具備してなり、上記開口領域上の小壁領域に所定の強度を有する一体の小壁部材を配置し、上記開口調整領域に上記小壁部材の端部を支持する支持部材を配置することを上記課題の解決手段とした。
【００１３】
また、本発明の請求項２記載の設計支援装置は、上記設計データ記憶手段ａに記憶された壁領域の配置のデータに基づいて壁パネルを割り付けるべき壁領域が、内壁か外壁かを判定する内外判定手段ｅを有し、上記内外判定手段ｅにより壁領域が内壁と判定された場合には、上記小壁領域生成手段ｂが、上記設計データ記憶手段ａに記憶された開口領域の上に、該開口領域を覆うように壁領域内に小壁領域を設定し、上記領域調整手段ｃが、小壁領域生成手段ｂに設定された小壁領域の左右の側縁が上記壁領域に直交する上記グリッド線上に配置されていない場合に、上記小壁領域の水平方向に沿った幅を延長して、上記開口領域の上記側縁を上記壁領域に直交する上記グリッド線上に配置し、上記調整領域生成手段ｄが、上記領域調整手段ｃにより延長された小壁領域の幅に対応して、開口領域の左右かつ小壁領域の下に開口調整領域を設定し、上記内外判定手段ｅにより壁領域が外壁と判定された場合には、上記調整領域生成手段ｄが、上記設計データ記憶手段ａに記憶された上記開口領域の左右の壁領域内に所定幅の開口調整領域を設定し、上記領域調整手段ｃが、上記調整領域生成手段ｄに設定された開口調整領域の上記開口領域の反対側の側縁が上記壁領域に直交する上記グリッド線上に配置されていない場合に、上記開口調整領域の水平方向に沿った幅を延長して、上記開口調整領域の上記側縁を上記壁領域に直交する上記グリッド線上に配置し、上記小壁領域生成手段ｂが、上記開口領域及び開口調整領域の上に、これら開口領域及び開口調整領域上を一体に覆うように壁領域内に小壁領域を設定することを上記課題の解決手段とした。
【００１４】
【作用】
上記請求項１記載の構成によれば、上記小壁領域生成手段ｂが、設計データ記憶手段ａのデータに基づいて、上記グリッド線に基づいて配置された壁領域の開口領域上に、該開口領域上を覆うように小壁領域を生成する。
次に、上記領域調整手段ｃが、上記小壁領域の水平方向に沿った幅を延長して、上記小壁領域の上記側縁を上記壁領域に直交するグリッド線上に配置する。
【００１５】
そして、調整領域生成手段ｄが、上述のように延長された小壁領域の幅に対応して、開口領域の左右かつ小壁領域の下に開口調整領域を設定する。
すなわち、開口領域は、例えば、窓サッシやドアサッシ等の建具の大きさに対応して形成されることが多いが、上記建具のサイズは、上記基準単位長さに対応しているとは限らないので、上記基準単位長さに対応した形状の壁領域に、上記基準単位長さに対応した形状の壁パネルを割り付けようとした際に、開口領域でずれが生じることになる。
【００１６】
そこで、上述のように開口領域上に、小壁領域を生成し、該小壁領域の幅を延長して小壁領域の両側縁をグリッド線上に合わせ、また、このように延長された幅を有する小壁領域の下の開口領域の左右に小壁領域の幅に対応した開口調整領域を設けることで、該開口調整領域により、グリッド線に対するずれが吸収され、開口領域の両サイドへの壁パネルの割り付けを容易なものとすることができる。
【００１７】
また、上述のように小壁領域の両側縁の位置をグリッド線に合わせることにより、小壁領域も基準単位長さに基づいたサイズとなり、小壁領域への小壁パネルの割り付けに際し、基準単位長さに基づいた規格化された小壁パネルを割り付けることができる。
また、調整領域には、例えば、切断等により幅を容易に調整できる板状の部材を配置することになるが、該板状の部材は、小壁パネルの左右両端の下側に配置され、小壁パネルの下側から小壁パネルを支持する支持部材となり、開口領域上の壁の強度を高めることができる。
【００１８】
すなわち、小壁パネルは、その左右両端部を上記小壁パネルの左右に配置された壁パネルの側縁部に接合することにより固定されることになるが、上述のように小壁パネルの左右の端部の下に支持部材を配置することにより、支持部材が上記小壁パネルの左右端部と上記壁パネル側縁との接合部を補強することになる。
【００１９】
また、上述の構成においては、開口領域上を覆う小壁パネルの両側縁がグリッド線と一致した場合に、開口調整領域が形成されない場合があるとともに、小壁パネルの両側縁とグリッド線との距離が近い場合には、開口調整領域の幅が狭いものとなり、開口調整領域にあまり強度の高くない支持部材が配置される可能性がある。
【００２０】
そこで、上記請求項２記載の構成によれば、まず、内外判定手段ｅにより壁領域を、内壁に比較して高い強度が必要な外壁と、内壁とに分ける。
そして、壁領域が内壁の場合には、上記開口調整領域に配置される支持部材を基本的に、開口領域の幅を基準単位長さに対応させる調整部材とみなし、上記請求項１と同様に、壁領域内に小壁領域及び開口調整領域を生成する。
【００２１】
また、壁領域が外壁の場合には、上記開口調整領域に配置される支持部材を基本的に、小壁パネルを支持する部材とみなし、まず、開口領域生成手段により開口領域の左右に支持部材として必要な最低限度の幅を有する開口領域を生成する。
そして、上記領域調整手段が、開口調整領域の幅を延長して、開口領域とその左右の開口調整領域とを合わせた領域の幅をグリッド線に対応するものとし、これら開口領域及び開口調整領域上に上記小壁領域生成手段が小壁領域を生成するようになっている。
【００２２】
以上のようにすることで、比較的高い強度が必要な外壁においては、小壁パネルの左右両端部の下に必ず所定幅以上の支持部材が配置されるとともに、開口領域と開口調整領域を合わせた領域の幅、すなわち、小壁パネルの幅がグリッド線に対応したものとなり、内壁においては、必ずしも小壁パネルを支持可能な支持部材が配置されないが、必要最低限度の調整幅で上記小壁パネルの幅をグリッド線に対応させることができ、無駄に大きな開口調整領域が配置されることがない。
【００２３】
【実施例】
以下に、本発明の一実施例の図面を参照して説明する。
なお、この実施例の設計支援装置は、床、壁、屋根等がパネルから構築される住宅の設計に用いられるものである。
また、上記パネルは、木製の芯材を矩形枠状に組んで、枠体を形成し、該枠体の少なくとも一面に面材を貼設したものである。
【００２４】
また、上記設計支援装置は、住宅の間取りや各種建具や各種仕上部材等の配置や屋根の形状等（住宅の意匠）を入力するための意匠入力機能と、上記意匠において入力された床、壁、屋根等にパネルを配置するとともに、その他の躯体となる部材や該部材及び上記パネルに付随する部材を配置し、かつ、住宅の必要強度をチェックする構造決定機能と、上記意匠入力及び構造決定において割り付けられた部材に基づいて、設計される住宅の見積りを求める積算機能とを有するものである。
【００２５】
そして、本実施例の設計支援装置は、図２に示すように、ＣＡＤ  システムとしていわゆる一般的なコンピュータシステムとしてのシステム構成を有するものであり、図示しないＣＰＵ（ｃｅｎｔｒａｌ  ｐｒｏｃｅｓｓｉｎｇ  ｕｎｉｔ）、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）等から構成される演算処理装置（コンピュータ本体）１と、ハードディスクドライブ等からなる記憶装置２と、キーボード及びマウス、タブレット、デジタイザーなどのポインティングデバイスからなる入力装置３と、ＣＲＴディスプレイ等のディスプレイからなる表示装置４と、プリンタやプロッター等からなるハードコピーの出力装置５とを有するものである。
【００２６】
上記記憶装置２には、設計支援装置で用いられる各種プログラムや、該プログラムで用いられる各種データが記憶されている。
上記各種プログラムは、基本的に、周知のＣＡＤ  システムとしてのものであり、設計支援装置上での住宅の設計を行うためのものである。
また、上記各種データとしては、上記設計支援装置上での住宅の設計に際して、住宅に割り付けられる各種部材のデータであり、例えば、各種部材の形状や、価格等の様々なデータが記憶されている。
【００２７】
また、記憶装置２には、上記意匠、構造、積算等の各段階において行われた設計の操作により生じた設計のデータが記憶されている。
さらに、この実施例においては、上記意匠機能において、間取りを決定するに際して、図３に示すように、設計すべき住宅の部屋の領域９（居間、食堂、台所、トイレ、バス、居室、収納、その他基本的に壁で囲まれる領域が含まれる）が入力されるとともに、上記部屋の領域９の外周線が壁線１０（図３に図示）とされ、また、壁線  １０上には、窓、出入口等の開口部（図５等に図示する開口領域１１）が配置され、該開口部を含む壁線１０の配置が記憶されている。
【００２８】
なお、図４に示す壁ｋの平面配置のように、これらの壁線１０の配置、すなわち、壁ｋ…の配置においては、１ｍ前後の基準単位長さ（以下、１Ｍ（モジュール）と称する）の１／４の長さ毎に縦横に引かれたグリッド線ｇ…上に各壁線１０を配置するようになっている。
また、これら壁線１０上に配置される壁パネルは、基本的に、壁線１０の後述する交点部分に配置される壁パネルを除いて、上記１Ｍの１／４長さの整数倍の水平方向に沿った幅を有するものとされている。
【００２９】
なお、例外的に、壁線１０がグリッド線ｇ…上に配置されない場合もあり、また、壁パネルや壁パネルに代わる部材として、水平方向の長さが上記１／４Ｍの整数倍とならない部材が用いられる場合もある。
また、上述のように１Ｍの１／４が基本的に最低単位として扱われるので（例外的に１／８を最低単位とする場合もある）、実質的には、１Ｍの１／４が基準単位長さとなる。
【００３０】
また、これらの壁線１０は、端点、Ｌ字状、Ｔ字状、十字状の交点において分割され、それぞれを別個の壁線１０とされる。
また、上記交点で交差する各壁線１０は、所定の壁の厚みを有するものとして、上記各端点及び各交点での壁同士の取り合いの勝ち負けが設定され、交点における壁の端面の位置、すなわち、分割された各壁線１０の端点が決定されている。
また、各壁線１０に配置される壁は、住宅の構造に基づいて各壁の高さが予め設定されている。そして、上記壁線１０に沿うとともに上記高さを有し、かつ、壁が配置される領域として壁領域１２（図４等に図示）が設定され、これら壁領域１２の形状及び配置が、上記記憶装置２に、設計データファイル２ａとして記憶されている。
【００３１】
そして、上記記憶装置２に、設計データファイル２ａのデータとして記憶される壁領域１２は、上記壁の所定の厚みと、上述の高さと、上記壁線１０の両端点間の長さとを有する立体としての形状を有するものである。
また、上記記憶装置２には、上記意匠機能において割り付けられた窓、出入口等の壁領域１２に設けられる開口部を示す上記開口領域１１の形状及び配置が同じく設計データファイル２ａとして記憶されている。
また、上述のように壁領域１２及び開口領域１１のデータが登録された設計データファイル２ａは、一つの住宅に対して一つのファイルが作成されるようになっている。
【００３２】
上記演算処理装置１は、周知のＣＡＤ  システムとしての機能を有するとともに、この実施例においては、図５及び図６に示すように、上記記憶装置２に記憶された壁領域１２と開口領域１１との形状及び配置に基づき、壁領域１２において、開口領域１１の左右に開口調整領域１３をそれぞれ設定し、これら開口領域１１と開口調整領域１３、１３とをあわせた領域の上に小壁領域１４を設定し、また、上記開口領域１１と開口調整領域１３とをあわせた領域の下に腰壁領域１５を設定する機能を有する。
【００３３】
また、演算処理装置１は、上記開口領域１１と開口調整領域１３、１３と小壁領域１４と腰壁領域１５とを合わせた領域の左右両側縁の位置が、上記壁領域１２に直交するグリッド線ｇ…の位置と一致しない場合に、上記開口調整領域１３、１３、小壁領域１４、腰壁領域１５の領域幅を左右に延長して上記開口領域１１と開口調整領域１３、１３と小壁領域１４と腰壁領域１５とを合わせた領域の左右両側縁の位置を上記壁領域１２に直交するグリッド線ｇ…の位置に一致させる機能を有する。
なお、図５の壁領域１２は、一般的な矩形状の壁領域１２を示し、図６の壁領域１２は、屋根の妻面に沿った屋根裏面に接する上辺が斜辺となった屋切りの壁領域１２を示すものである。
【００３４】
次に、以上のような構成の設計支援装置における壁領域１２内の分割領域（小壁領域１４、腰壁領域１５、開口調整領域１３、１３）の生成方法を説明する。なお、この実施例の設計支援装置による壁領域１２内の分割領域の生成方法は、上述のように壁線１０の交点で分割されるとともに、取り合いの勝ち負けにより交点における端部の位置が決められ、かつ、高さが決められた壁領域１２が設定され、かつ、壁領域１２内に開口領域１１が設定され、これら設定されたデータが設計データファイル２ａに記憶された状態で行われるものである。
そして、壁パネルの施工性の向上及び壁の強度の確保を図りながら、壁領域１２に壁パネルを割り付けられるように、壁領域１２内にさらに各種分割領域を生成するものである。
【００３５】
そして、上記壁領域１２内の分割領域生成方法は、図７のフローチャートに示すようにして行われる。
まず、上記設計データファイル２ａから壁領域１２のデータを一つずつ順次読み込む（ステップＳ１）。
次に、読み込まれた壁領域１２に開口領域１１があるか否かを判定する（ステップＳ２）。そして、開口領域１１が無い場合には、開口領域１１の周囲における処理を必要としないのでステップＳ７に進む。また、開口領域１１がある場合には、次に、上記壁領域１２が外壁か内壁かを判定する（ステップＳ３）。
【００３６】
そして、上記壁領域１２が外壁でなく内壁の場合には、後述する内壁開口調整領域生成処理を行う（ステップＳ４）。
また、上記壁領域１２が外壁の場合には、後述する外壁開口調整領域生成処理を行う（ステップＳ５）。
次に、開口調整領域１３が生成された壁領域１２において、後述する小壁・腰壁領域生成処理を行う（ステップＳ６）。
【００３７】
次に、上記処理を行っていない残りの壁領域１２が上記設計データファイル２ａに有るか否かを判定する。
そして、残りの壁領域１２が有る場合には、上記ステップＳ１に戻り、残りの壁領域１２が無い場合には、壁領域１２内の分割領域生成処理を終了する。
【００３８】
以下に、上記内壁開口調整領域生成処理について図８のフローチャートを参照して詳細に説明する。
まず、上記処理により読み込まれた内壁の壁領域１２内の開口領域１１のデータを順次壁領域１２の左側から読み込む（ステップＡ１）。
【００３９】
次に、開口領域１１の左右の側縁に合わせて、後述するように開口領域１１上に設定される小壁領域１４の左右側縁の位置を仮に設定する（ステップＡ２）。なお、上述のように住宅自体の設計は、上記グリッド線ｇ…に沿って行われることになるが、建具のサイズは、必ずしも上記基準単位長さに基づいたものではないので、上記開口領域１１もグリッド線ｇ…からずれる可能性がある。
【００４０】
そして、開口領域１１がグリッド線ｇ…からずれたまま設計の処理を進めた場合には、壁領域１１に壁パネルを割り付ける際にもずれが生じることになり、上記基準単位長さに基づいて製造されたパネルではなく、規格外のパネルを用いなければならなくなったり、ずれを修正する修正部材を現場施工等で配置する必要がでてくる。
【００４１】
そこで、次に上記小壁領域１４の左側の側縁、すなわち、左辺が壁領域１２に直交するグリッド線ｇ…の位置と一致するか否かを判定する（ステップＡ３）。そして、一致する場合は、小壁領域１４の左辺において、後述する調整処理を必要としないので、ステップＡ５に進む。
また、一致しない場合には、上記小壁領域１４の左辺を左方にずらすことにより、小壁領域１４の左辺とグリッド線とを一致させる（ステップＡ４）。
【００４２】
次に、上記小壁領域１４の右側の側縁、すなわち、右辺が壁領域１２に直交するグリッド線の位置と一致するか否かを判定する（ステップＡ５）。
そして、一致する場合は、小壁領域の右辺に対する調整処理を必要としないので、ステップＡ１２に進む。ここで、基本的には、上記右側の小壁領域１４の右辺を右方に移動することになるが、右辺を右に移動した場合に、該右辺が上記開口領域１１のさらに右側にある開口領域１１上部に設定されるべき小壁領域１４に重複したり、壁領域１２の右側縁を越える可能性がある。
【００４３】
そこで、上記右辺が上記グリッド線の位置に一致しない場合には、上記開口領域１１の更に右側に開口領域１１が有り、該開口領域１１の左辺を越えなければ、上記小壁領域１４の右辺をグリッド線に一致させることができないかどうかを判定する（ステップＡ６）。
【００４４】
そして、上記小壁領域１４の右辺をグリッド線に一致させると右側の開口領域１１の左辺を越えてしまう場合には、上記右辺を右側の開口領域１１の左辺と一致させる（ステップＡ７）。
すなわち、上記小壁領域１４と、該小壁領域１４のさらに右側にある開口領域１１の上に設定される小壁領域１４とを隣接して配置させる。
【００４５】
この場合には、開口領域１１同士の間に壁パネルが割り付けられることがないので、小壁領域１４の側縁が壁領域１２に直交するグリッド線に一致しなくとも、基準単位長さに基づかない規定外の壁パネルが用いられることがない。
また、小壁領域１４の長さにより小壁パネルの長さが決まり、小壁領域１４の右辺が上記壁領域１２に直交するグリッド線と一致しない場合には、やはり、基準単位長さに基づかない規定外の小壁パネルが必要となるが、例えば、隣接する小壁領域１４、１４同士を合成することにより、規定外の小壁パネルを用いる可能性を最小限のものとすることができる。
【００４６】
そして、上述のように小壁領域１４の右辺を決定した場合には、さらに右側にある開口領域１１の上に設定される小壁領域１４の左辺の位置も決定されてしまうので、後述するように、順次左側の開口領域１１のデータから読み込み、上記処理を行う際に、上記左辺の処理を必要としないので、次の右側の開口領域１１のデータを読み込む（ステップＡ８）とともに、上記左辺の処理を飛ばして、ステップＡ５に進む。
【００４７】
また、上記ステップＡ６において、小壁領域１４の右辺がさらに右側の開口領域１１の左辺を越えない場合には、次に、上記小壁領域１４の右辺が壁領域１２の右側縁を越えなければ、壁領域１２に直交するグリッド線と上記右辺を一致できないかどうかを判定する（ステップＡ９）。
【００４８】
そして、上記小壁領域１４の右辺を右方に移動してグリッド線と一致させた場合に、上記右辺が壁領域１２の右側縁を越える場合には、上記小壁領域１４の右辺を壁領域１２の右側縁に一致させる（ステップＡ１０）。
この場合には、小壁領域１４の右辺で壁領域１２が終わってしまうので、右辺とグリッド線が一致していなくとも壁領域１２内の壁パネルに上記規定外の壁パネルを用いる必要がない。
また、順次開口領域１１を壁領域１２の左側から読み込んだ場合には、小壁領域１４の右辺が壁領域１２の右端に達した場合に、上記壁領域１２に残りの開口領域１１が無いことになるので処理を終了する。
【００４９】
また、上記小壁領域１４の右辺をグリッド線と一致するまで、移動しても壁領域１２の右側縁を越えない場合には、上記右辺を右方に移動して上記右辺とグリッド線とを一致させる（ステップＡ１１）。
以上のように処理した場合には、基本的に、図９に示すように、小壁領域１４の左辺がグリッド線（グリッド線位置１６、平面上のグリッド線ｇ…を立ち上げて示したもの）ｇと一致し、右側の小壁領域１４の右辺が同じくグリッド線（グリッド線位置１６）ｇと一致することになり、小壁領域１１の左右の壁領域１２内には、グリッド線ｇからグリッド線ｇまでの距離（１／４Ｍの整数倍）が空き、また、小壁領域１４の幅もグリッド線ｇからグリッド線ｇまでの距離（１／４Ｍの整数倍）となる。
従って、壁パネル、小壁パネル、後述する腰壁パネルの幅は、基本的に１／４Ｍの整数倍となる。
【００５０】
そして、図１０に示すように、小壁領域１４の左右側縁は、小壁領域１４の左右側縁を移動した場合に、開口領域１１の左右側縁より外側となり、小壁領域１４の左右側縁に合わせて、左右に隣接する壁パネルを配置する場合には、上記開口領域１１の左右に空き領域ができることになる。そして、この空き領域を開口調整領域１３とする（ステップＡ１２）。
【００５１】
従って、開口領域１１の左右にそれぞれ配置される開口調整領域１３の幅ｗ１、ｗ２は、まず、左側の開口調整領域１３において、小壁領域１４の左辺から開口領域１１の左辺までとなる。また、右側の開口調整領域１３においては、小壁領域１４の右辺から開口領域１１左辺までとなる。
すなわち、小壁領域１４の幅Ｗ３から開口領域１１の幅４を引いた残りが、開口調整領域１３、１３の幅Ｗ１、Ｗ２となる。
また、左右の開口調整領域１３の上辺及び下辺は、開口領域１１の上辺及び下辺と一致するものとされる。
【００５２】
そして、上記処理を終了した場合には、上記開口領域１１の右側にさらに上記処理を行っていない残りの開口領域１１があるか否かを判定する（ステップＡ１３）。そして、残りの開口領域１１がある場合には、ステップＡ１に進む。また、残りの開口領域１１が無い場合には、内壁開口調整領域生成処理を終了する。
【００５３】
以下に、上記外壁開口調整領域生成処理について図１１のフローチャートを参照して詳細に説明する。
まず、上記処理により読み込まれた壁領域１２内の開口領域１１のデータを順次左側から読み込む（ステップＢ１）。
【００５４】
次に、開口領域１１の左右に所定幅の開口調整領域１３、１３を設定する（ステップＢ２）。なお、この開口調整領域１３、１３には、後述する小壁領域１４の小壁パネルを支持する支持部材が配置されるので、支持部材の基本的な幅を開口調整領域１３、１３の所定幅とする。また、後述するように支持部材の幅は状況により変更することができる。
【００５５】
また、開口調整領域１３、１３の上辺と下辺の高さは、開口領域１１の上辺と下辺の高さに合わせる。
次に、上述のように所定幅で形成された左右の開口調整領域１３の外側の側縁、すなわち、開口領域１１の反対側の側縁の位置を求める（ステップＢ３）
なお、上述のように開口領域１１の両側縁がグリッド線ｇ…からずれている場合には、開口調整領域１３を設ける際に、その幅を単純に所定幅としてしまった場合に、上述のように規格外のパネルを用いる必要がでてくる。
【００５６】
そこで、開口領域１１の上記グリッド線ｇ…に対するずれを開口調整領域１３、１３を用いて調整するために、次に開口領域１１の左側の開口調整領域１３の外側の側縁、すなわち、左辺が壁領域１２に直交するグリッド線ｇ…の位置と一致するか否かを判定する（ステップＢ４）。
そして、一致する場合は、左側の開口調整領域１３において、調整処理を必要としないので、ステップＢ６に進む。
また、一致しない場合には、上記左側の開口調整領域１３の左辺を左方にずらすことにより、開口調整領域１３の左辺とグリッド線ｇ…とを一致させる（ステップＢ５）。
【００５７】
次に、上記開口領域１１の右側の開口調整領域１３の外側側縁、すなわち、右辺が壁領域１２に直交するグリッド線ｇ…の位置と一致するか否かを判定する（ステップＢ６）。
そして、一致する場合は、右側の開口調整領域１３に対する調整処理を必要としないので、ステップＢ１３に進む。ここで、基本的には、上記右側の開口調整領域１３の右辺を右方に移動することになるが、右辺を右に移動した場合に、上記開口領域１１のさらに右側にある開口領域１１の開口調整領域１３に重複したり、壁領域１２の右側縁を越える可能性がある。
【００５８】
そこで、上記右辺が上記グリッド線ｇ…の位置に一致しない場合には、上記右側の開口調整領域１３の更に右側に開口領域１１が有り、該開口領域１１の左側に設定されるべき所定幅の開口調整領域１３の左辺を越えなければ、上記右辺をグリッド線ｇ…に一致させることができないかどうかを判定する（ステップＢ７）。
【００５９】
そして、上記右辺をグリッド線ｇ…に一致させると右側の開口領域１１の開口調整領域１３の左辺を越えてしまう場合には、上記右辺を右側の開口調整領域１３の左辺と一致させる（ステップＢ８）。
すなわち、上記右側の開口調整領域１３と該開口調整領域１３のさらに右側にある開口領域１１の左側の開口調整領域１３とを隣接して配置させる。
【００６０】
この場合には、開口調整領域１３同士の間に壁パネルが割り付けられることがないので、開口調整領域１３の側縁が壁領域１２に直交するグリッド線に一致しなくとも、基準単位長さに基づかない規定外の壁パネルが用いられることがない。
また、開口調整領域１３の長さにより小壁パネルの長さが決まり、開口調整領域１３の側縁が上記壁領域１２に直交するグリッド線ｇ…と一致しない場合には、やはり、基準単位長さに基づかない規定外の小壁パネルが必要となるが、例えば、隣接する小壁領域１４、１４同士を合成することにより、規定外の小壁パネルを用いる可能性を最小限のものとすることができる。
【００６１】
そして、上述のように右側の開口調整領域１３の右辺を決定した場合には、さらに右側にある開口領域１１の左側の開口調整領域１３の左辺の位置も決定されてしまうので、後述するように、順次左側の開口領域１１から開口調整領域１３のデータを読み込み上記処理を行う際に、上記左辺の処理を必要としないので、次の右側の開口領域１１のデータを読み込む（ステップＢ９）とともに、読み込まれた開口領域１１の左右に所定幅の開口調整領域１３、１３を生成し、さらに、左側の開口調整領域１３を確定し、上記左辺の処理を飛ばして、ステップＢ６に進む。
【００６２】
また、上記ステップＢ７において、右側の開口調整領域１３の右辺がさらに右側の開口領域１１に所定幅で設定されるべき開口調整領域１３の左辺を越えない場合には、次に、上記右側の開口調整領域１３の右辺が壁領域１２の右側縁を越えなければ、壁領域１２に直交するグリッド線ｇ…と上記右辺を一致できないかどうかを判定する（ステップＢ１０）。
【００６３】
そして、上記右側の開口調整領域１３の右辺を右方に移動してグリッド線ｇ…と一致させた場合に、上記右辺が壁領域の右側縁を越える場合には、上記右側の開口調整領域１３の右辺を壁領域１１の右側縁に一致させる（ステップＢ１１）。
この場合には、開口調整領域１３の右辺で壁領域１２が終わってしまうので、右辺とグリッド線ｇ…が一致していなくとも壁領域１１内の壁パネルに上記規定外の壁パネルを用いる必要がない。
また、順次開口領域１１を壁領域１２の左側から読み込んだ場合に、開口調整領域１３の上記右辺が、壁領域１２の右端に達した場合には、上記壁領域１２に残りの開口領域１１が無いことになるので処理を終了する。
【００６４】
また、上記右側の開口調整領域１３の右辺をグリッド線と一致するまで、移動しても壁領域１２の右側縁を越えない場合には、上記右辺を右方に移動して上記右辺とグリッド線ｇ…とを一致させる（ステップＢ１２）。
以上のように処理した場合には、基本的に、図１２に示すように、開口領域１１の左側の開口調整領域１３の左辺がグリッド線（グリッド線位置１６）ｇと一致し、右側の開口調整領域１３の右辺が同じくグリッド線（グリッド線位置１６）ｇと一致することになり、開口領域１１の左右の壁領域１２内には、グリッド線ｇからグリッド線ｇまでの距離（１／４Ｍの整数倍）が空き、また、開口領域１１とその左右の開口調整領域１３、１３とを合わせた幅もグリッド線からグリッド線までの距離（１／４Ｍの整数倍）となる。
従って、壁パネル、小壁パネル、腰壁パネルの幅は、基本的に１／４Ｍの整数倍となる。
【００６５】
そして、上記開口領域１１に対応する左右の開口調整領域１３、１３において上記処理を終了した場合には、上記開口領域１１の右側にさらに上記処理を行っていない残りの開口領域１１があるか否かを判定する（ステップＢ１３）。そして、残りの開口領域１１がある場合には、ステップＢ３に進む。また、残りの開口領域１１が無い場合には、外壁開口調整領域生成処理を終了する。
【００６６】
次に、小壁、腰壁領域生成処理を図１３のフローチャートを参照して説明する。
まず、上記壁領域１２内の開口領域１１及び上記処理により求められた上記開口領域１１に対応する（左右に接する）開口調整領域１３、１３のデータを読み込む（ステップＣ１）。
【００６７】
次に、上記壁領域１２が外壁か内壁かを判定する（ステップＣ２）。
そして、上記壁領域１２が内壁の場合には、上述のように小壁領域１４の左右両側縁、すなわち、左辺及び右辺の位置が決められているので、腰壁領域１５の右辺及び左辺の位置を、上記小壁領域１４の左辺及び右辺の位置に合わせる（ステップＣ３）。
また、上記壁領域が外壁の場合には、小壁、腰壁領域１４、１５の幅は、開口領域１１の幅とその左右の開口調整領域１３、１３の幅とを合わせた長さとなり、小壁、腰壁領域１４、１５の右辺及び左辺は、右側の開口調整領域１３の右辺及び左側の開口調整領域１３の左辺と一致させる（ステップＣ４）。
【００６８】
次に壁領域１２が、図１４に示すように矩形状の領域か、図１５に示すように上辺に斜辺を有する屋切りの領域かを判定する（ステップＣ５）。
そして、壁領域１２が矩形の場合には、小壁領域１４の上辺の高さｈ１を、壁領域１２の高さとする（ステップＣ６）。また、壁領域１２が屋切りの場合には、予め設定された壁領域下辺から一枚目の壁パネルの高さを小壁領域１４の上辺の高さｈ’１とする（ステップＣ７）。
【００６９】
また、小壁領域１４の下辺の高さｈ２は、開口領域１１の上辺の高さと一致するものとされる（ステップＣ８）。また、腰壁領域１５の上辺の高さｈ３は、開口領域１１の下辺の高さと一致するものとされる（ステップＣ９）。さらに、腰壁領域１５の下辺の高さｈ４は、壁領域１２の下辺の高さと一致するものとされる（ステップＣ１０）。
【００７０】
次に上記壁領域１２に上記処理を行っていない残りの開口領域１１が有るか否かを判定する（ステップＣ１１）。そして、残りの開口領域１１がある場合には、ステップＣ１に戻る。また、残りの開口領域１１が無い場合には、小壁・腰壁領域生成処理を終了する。
【００７１】
以上のように、この実施例の設計支援装置は、壁パネルを割り付けるべき壁領域１２において、壁パネルを割り付ける際に、壁の強度の確保及び生産性の向上を図ることができるように、上記壁領域１２を複数の分割領域に分割することができる。
【００７２】
特に、壁領域１２の開口領域１１の左右に開口調整領域１３、１３を設け、上記開口領域１１及び開口調整領域１３、１３上に渡って小壁領域１４を設けるようにすることで、小壁領域１４の端部が開口調整領域１３、１３上に架かることになる。
従って、小壁領域１４に小壁パネルを割り付け、開口調整領域１３、１３に支持部材を割り付けるようにした場合に、単に小壁パネルの両側縁を開口領域１１の左右両サイドの壁パネルに接合した場合よりも、強固な構造とすることができる。
【００７３】
すなわち、上述のように開口領域１１の周囲に開口調整領域１３、１３と小壁領域１４とを設けることにより、壁領域１２へ壁パネルを自動的に割り付ける際に、壁の開口部周囲において、壁の強度を確保することができる。
【００７４】
また、建具が割り付けられる開口部においては、建具の形状が必ずしも、上記基準単位長さに基づいたものとならないが、上記開口調整領域１３、１３の幅を調整して、開口領域１１及び開口調整領域１３、１３を合わせた領域が、グリッド線ｇ，ｇ間にちょうど納まるようにすることで、開口領域１１の左右両サイドにおいて、基準単位長さに基づいた壁パネルを用いることができ、また、基本的に小壁パネル及び、腰壁パネルもその幅が、上記基準単位長さに基づいたものを用いることができる。
【００７５】
従って、壁パネルや小壁パネルや腰壁パネルを製造する際に、予め決められた規格外のパネルを生産する可能性が低く、パネルの生産性を向上することができる。
また、住宅の施工現場において、上記グリッド線に基づいていない部分を現場施工によりカバーしなければならなくなる可能性が低く、住宅の建築においても生産性を向上することができる。
【００７６】
また、この実施例においては、上記開口調整領域１３を生成する際に、上記開口領域１１が外壁の壁領域１２に設けられるものか、内壁の壁領域１２に設けられるかにより処理を変更している。
すなわち、内壁は、外壁に比較して負荷が少ないので、必ずしも、小壁パネルを支持する支持部材が無くとも、小壁パネルの両側縁を隣接する壁パネルの両側縁に接合することにより、充分な強度を得ることができる。
【００７７】
従って、内壁においては、開口調整領域１３に配置される部材を支持部材ではなく調整部材として扱うものとなっている。
すなわち、内壁の開口領域１１においては、開口領域１１の両側縁と同じ位置に両側縁を有する小壁領域１４を仮設定し、次いで、上記小壁領域１４の両側縁をそれぞれ左右外側に移動してグリッド線ｇ…に合わせ、移動後の小壁領域１４の左右側縁と開口領域１１の左右側縁との間を開口調整領域１３としている。
【００７８】
そして、上述のように仮設定された小壁領域１４の左右側縁とグリッド線ｇが一致してしまった場合には、開口調整領域１３が設けられない可能性がある。
すなわち、調整の必要がなければ、開口調整領域１３を削除することにより、施工性を向上できるようになっている。
また、仮設定された小壁領域１４の左右側縁とグリッド線との距離が近ければ、僅かな幅を有する開口調整領域１３が設けられることになるが、上述のように、開口調整領域１３に配置される部材を小壁パネルを支持する部材ではなく、開口領域１１の幅を調整する部材とみなしているので、不必要に幅の長い開口調整領域１３が生成されることがない。
【００７９】
また、外壁においては、開口調整領域１３に配置される部材を小壁パネルを支持する部材とみなしているので、小壁パネルを支持するのに最低限必要な開口調整領域１３の幅を設定しておくようになっている。
すなわち、所定幅の開口調整領域１３を開口領域１１に設けてから、開口調整領域１３の幅を広げるようにして、開口調整領域１３の開口領域１１と反対側の側縁をグリッド線に合わせるようになっている。
【００８０】
従って、開口調整領域１３において、最低限必要な幅を確保することができるとともに、開口領域１１の幅をグリッド線ｇ…に対応することができるようになっている。
以上のように、この実施例においては、外壁に比較して負荷の小さい内壁に余分に大きな開口調整領域１３が配置され、開口調整領域１３に割り付ける部材の施工の手間が増えるのを防止するとともに、内壁に比較して負荷の大きい外壁においては、確実に小壁パネルを支持できる開口調整領域１３の幅を確保するとともに、開口領域１１の幅を上記グリッド線ｇ…に対応させることができる。
【００８１】
なお、上記実施例において、フローチャートにより示された工程は、本発明の一例であって、上述のように開口調整領域及び小壁領域を壁領域上に生成できれば、工程の順番や、工程の内容を変更してもかまわない。
【００８２】
【発明の効果】
以上詳細に説明したように、上記請求項１記載の設計支援装置によれば、開口領域上に、小壁領域を生成し、該小壁領域の幅を延長して小壁領域の両側縁をグリッド線上に合わせ、また、このように延長された幅を有する小壁領域の下の開口領域の左右に小壁領域の幅に対応した開口調整領域を設けることで、該開口調整領域により、グリッド線に対するずれが吸収され、開口領域の両サイドへの壁パネルの割り付けを容易なものとすることができる。
【００８３】
また、上述のように小壁領域の両側縁の位置をグリッド線に合わせることにより、小壁領域も基準単位長さに基づいたサイズとなり、小壁領域への小壁パネルの割り付けに際し、基準単位長さに基づいた規格化された小壁パネルを割り付けることができる。
また、調整領域には、例えば、切断等により幅を容易に調整できる板状の部材を配置することになるが、該板状の部材は、小壁パネルの左右両端の下側に配置され、小壁パネルの下側から小壁パネルを支持する支持部材となり、開口領域上の壁の強度を高めることができる。
【００８４】
すなわち、小壁パネルは、その左右両端部を上記小壁パネルの左右に配置された壁パネルの側縁部に接合することにより固定されることになるが、上述のように小壁パネルの左右の端部の下に支持部材を配置することにより、支持部材が上記小壁パネルの左右端部と上記壁パネル側縁との接合部を補強することになる。
【００８５】
上記請求項２記載の設計支援装置によれば、比較的高い強度が必要な外壁においては、小壁パネルの左右両端部の下に必ず所定幅以上の支持部材が配置されるとともに、開口領域と開口調整領域を合わせた領域の幅、すなわち、小壁パネルの幅がグリッド線に対応したものとなり、内壁においては、必ずしも小壁パネルを支持可能な支持部材が配置されないが、必要最低限度の調整幅で上記小壁パネルの幅をグリッド線に対応させることができ、必要以上の大きな開口調整領域が配置されるのを防止することができる。
【図面の簡単な説明】
【図１】本発明の設計支援装置を説明するためのブロック図である。
【図２】本発明の一実施例の設計支援装置を説明するためのブロック図である。
【図３】上記実施例の設計支援装置に記憶された壁線の配置を説明するための図面である。
【図４】上記実施例の設計支援装置における壁の配置を説明するための壁の平面図である。
【図５】上記設計支援装置による壁領域内の分割領域を説明するための図面である。
【図６】上記設計支援装置による壁領域内の分割領域を説明するための図面である。
【図７】上記設計支援装置による壁領域の分割方法の概略を説明するためのフローチャートである。
【図８】上記設計支援装置による内壁開口調整領域生成処理を説明するためのフローチャートである。
【図９】上記設計支援装置による内壁開口調整領域生成処理を説明するための図面である。
【図１０】上記設計支援装置による内壁開口調整領域生成処理を説明するための図面である。
【図１１】上記設計支援装置による外壁開口調整領域生成処理を説明するためのフローチャートである。
【図１２】上記設計支援装置による外壁開口調整領域生成処理を説明するための図面である。
【図１３】上記設計支援装置による小壁・腰壁領域生成処理を説明するためのフローチャートである。
【図１４】上記設計支援装置による小壁・腰壁領域生成処理を説明するための図面である。
【図１５】上記設計支援装置による小壁・腰壁領域生成処理を説明するための図面である。
【符号の説明】
１        演算処理装置（小壁領域生成手段ｂ、領域調整手段ｃ、調整領域生成手段ｄ、内外判定手段ｅ）
２        記憶装置（設計データ記憶手段ａ）
２ａ      設計データファイル
１１      開口領域
１２      壁領域
１４      小壁領域
１５      腰壁領域
【図１】
0003578499.tif 000002
【図２】
0003578499.tif 000003
【図３】
0003578499.tif 000004
【図４】
0003578499.tif 000005
【図５】
0003578499.tif 000006
【図６】
0003578499.tif 000007
【図７】
0003578499.tif 000008
【図８】
0003578499.tif 000009
【図９】
0003578499.tif 000010
【図１０】
0003578499.tif 000011
【図１１】
0003578499.tif 000012
【図１２】
0003578499.tif 000013
【図１３】
0003578499.tif 000014
【図１４】
0003578499.tif 000015
【図１５】
0003578499.tif 000016